(57)【要約】
【課題】本考案は、伸縮時にＲＦコンタクトが定荷重で、摩擦抵抗が少なく、パーティクルの発生を抑えることを目的とする。
【解決手段】本考案によるＲＦコンタクト付きベローズのコンタクト構造は、ベローズ(1)が圧縮された時にシールドフィンガー(5)の先端が、内筒(4)の外周と接触し、常用時及び伸張時にはシールドフィンガー(5)の先端が内筒(4)の外周に接触しない構成である。
【選択図】図１
0003101173.tif 000002
【実用新案登録請求の範囲】
【請求項１】
内径１３０ｍｍの内筒(4)を有する第１筒体(2)と、前記内筒(4)の外周と接触するシールドフィンガー(5)を有する第２筒体(3)と、前記第２筒体(3)に一端(10a)が固定され他端(10b)が前記シールドフィンガー(5)の外周に接触するスプリングフィンガー(10)と、前記第１、第２筒体(2、3)間に設けられ筒状をなすベローズ(1)とを備え、
前記ベローズ(1)が圧縮された時に前記シールドフィンガー(5)の先端部が前記内筒(4)の外周と接触し、前記圧縮時以外の常用時及び伸張時には前記先端部は前記内筒(4)の外周と非接触であることを特徴とするＲＦコンタクト付きベローズのコンタクト構造。
【請求項２】
前記スプリングフィンガー(10)の先端部には、接点(30)が設けられていることを特徴とする請求項１記載のＲＦコンタクト付きベローズのコンタクト構造。
【請求項３】
前記内筒(4)の先端位置には、外周に沿って形成された突条(20)が設けられ、前記突条(20)には前記シールドフィンガー(5)が摺接していることを特徴とする請求項１又は２記載のＲＦコンタクト付きベローズのコンタクト構造。
【考案の詳細な説明】
【技術分野】
【０００１】
本考案は、粒子加速器等に用いられるＲＦコンタクト付きベローズのコンタクト構造に関し、特に、継手のベローズが圧縮された時にシールドフィンガーの先端部が内筒の外周と接触し、常用時及び伸張時は非接触とすることにより、継手の伸縮時におけるコンタクトの接触荷重を均一にし、金属粒子の発生を抑えるようにするための新規な改良に関する。
【背景技術】
【０００２】
従来、用いられていたこの種のＲＦコンタクト付きベローズのコンタクト構造としては、特許文献等は特に示していないが、図４のスプリングフィンガー固定型及び図５で示すスプリングフィンガー移動型の構成が採用されていた。
すなわち、図４において符号１で示されるものは半断面図で示される筒状の金属よりなるベローズであり、このベローズ１の両端には第１筒体２及び第２筒体３が設けられている。
【０００３】
前記第１筒体２の内端には内筒４が設けられ、前記第２筒体３の内端に設けられたシールドフィンガー５は内筒４の外周に作動自在に接触されている。
前記第１筒体２の内端にその一端１０ａが固定されたスプリングフィンガー１０の他端１０ｂは、前記内筒４の外周に摺動自在に接触している。
【０００４】
また、図５の従来構成においては、図３と同一部分には同一符号を付し、その説明を省略すると共に、異なる部分についてのみ説明する。
すなわち、スプリングフィンガー１０の一端１０ａが第２筒体３に設けられ、その他端１０ｂは内筒４の外周に接触している。
【０００５】
加速器ビームダクトに金属ベローズをそのまま使用すると、ビームにより誘起される壁電流がベローズのヒダを通る際に余分な高周波成分が誘起され、ビームに悪影響を及ぼすことがある。その対策として、前述の内筒４に対するシールドフィンガー５によってＲＦコンタクトを構成し、壁電流をスムーズに流すためにＲＦコンタクトが設けられている。
【考案の開示】
【考案が解決しようとする課題】
【０００６】
従来のＲＦコンタクト付きベローズのコンタクト構造は、以上のように構成されていたため、次のような課題が存在していた。
すなわち、従来使用されてきたＲＦコンタクト付きベローズの形状は、内筒に直接ヒダ状のシールドフィンガーを接触させ、反力で電気接触を保つ方法であり、問題点として大きい接触荷重が得られないことが上げられる。その解決策として考えられた構成の１つが図４のスプリングフィンガー固定型で、内筒外側からシールドフィンガーを挟み込むようにスプリングフィンガーを設け、スプリングフィンガーの反力で定接触荷重を得る。また、前述の図５のスプリングフィンガー移動型では、シールドフィンガーと同一側にシールドフィンガーによる接触荷重を増強する役目のスプリングフィンガーを設け、定接触荷重性を得る。
しかし、これらの方法の問題点として、前者は、伸縮時のＲＦコンタクト部による摺動抵抗が大きくなり、また摺動時の金属粒子（パーティクル）発生量も多い。後者は、前者の欠点を克服できる可能性が有るが伸縮時に接触荷重が変化しやすい。すなわち、定接触荷重を得るための設計・製作方法が現在のところ確立されていない。
【課題を解決するための手段】
【０００７】
本考案によるＲＦコンタクト付きベローズのコンタクト構造は、内径１３０ｍｍの内筒を有する第１筒体と、前記内筒の外周と接触するシールドフィンガーを有する第２筒体と、前記第２筒体に一端が固定され他端が前記シールドフィンガーの外周に接触するスプリングフィンガーと、前記第１、第２筒体間に設けられ筒状をなすベローズとを備え、前記ベローズが圧縮された時に前記シールドフィンガーの先端部が前記内筒の外周と接触し、前記圧縮時以外の常用時及び伸張時には前記先端部は前記内筒の外周と非接触とした構成であり、また、前記スプリングフィンガーの先端部には、接点が設けられている構成であり、また、前記内筒の先端位置には、外周に沿って形成された突条が設けられ、前記突条には前記シールドフィンガーが摺接している構成である。
【考案の効果】
【０００８】
本考案によるＲＦコンタクト付きベローズのコンタクト構造は、以上のように構成されているため、次のような効果を得ることができる。
すなわち、ベローズが圧縮された時、シールドフィンガーの先端部が内筒に摺接し、常用時及び伸張時においてはシールドフィンガーの先端部は内筒と非接触で、接触点は内筒先端とシールドフィンガー腹部のみとなるため、従来の図５のスプリングフィンガー移動型の常時接触型や図４のスプリングフィンガー固定型と比較すると、動作範囲内での接触荷重の変化が少なく、又、低摩擦抵抗で、パーティクルの発生が抑えられ、加速器等に用いる継手の信頼性を大幅に向上させることができる。
【考案を実施するための最良の形態】
【０００９】
本考案は、継手のベローズが圧縮された時にシールドフィンガーの先端部が内筒の外周と接触し、常用時及び伸張時は非接触とすることにより、継手の伸縮時における良好な電気接触、低摩擦抵抗、金属粒子の発生を抑制、放出ガスの低減化等を実現した。
【実施例】
【００１０】
以下、図面と共に本考案によるＲＦコンタクト付きベローズのコンタクト構造の好適な実施の形態について説明する。
尚、従来例と同一又は同等部分には同一符号を付して説明する。
図１において符号１で示されるものは半断面で示される筒状の金属よりなるベローズであり、このベローズ１の両端には第１筒体２及び第２筒体３が設けられている。
【００１１】
前記第１筒体２の内端には内径１３０ｍｍの内筒４が設けられ、前記第２筒体３の内端に設けられたシールドフィンガー５は内筒４の外周に作動自在に接触されている。
前記内筒４の先端位置には、外周に沿って断面突起型をなす突条２０が形成され、この突条２０の周面に前記シールドフィンガー５が摺接している。
【００１２】
次に、前述の構成において継手として用いる場合、第１、第２筒体２、３を図示しない加速器ビームダクトに接続し、各筒体２、３が軸方向に沿って作動する場合、図２に示されるように、（１）のベローズ１の圧縮時においては、スプリングフィンガー１０の他端１０ｂの接点３０がシールドフィンガー５の先端を内筒４に押し付けて摺接し、接触荷重点Ａはシールドフィンガー５のたわみの凹部と内筒の突起２０の位置となり、荷重値は圧縮量に応じて漸減する。
【００１３】
次に、図２の（２）のようにベローズ１を圧縮しない常用時においては、前記シールドフィンガー５の先端部が内筒４の上面から離れて、非接触状態となり、この場合の接触荷重値はスプリングフィンガー１０のバネ反力とシールドフィンガー５のバネ反力の所定設定値となる。又、シールドフィンガー５と内筒４との摺動がなくなるため、摩擦抵抗が少なくなり、パーティクルの発生は（１）の場合より少なくなる。
【００１４】
さらに、図２の（３）のように、ベローズ１が引張られる伸張時においても、前記シールドフィンガー５の先端部が内筒４の上面から大きく離れて非接触状態となり、接触荷重値は、伸張量に応じて漸減する。この場合、（２）と同様に摩擦抵抗とパーティクルの発生はさらに少なくなる。
【００１５】
前述の内筒４に対してシールドフィンガー５及びスプリングフィンガー１０を用いたベローズ１の継手構造としては、図３の半断面の斜視図で示されるように、第１、第２筒体２、３間のネジ体５０によって、継手の取付時や切り離し時に、ベローズ１の圧縮及び伸張が行われる。
【産業上の利用可能性】
【００１６】
本考案は、粒子加速器等のベローズを用いるが、粒子加速器に限ることはなく、原子力関係の設備及び宇宙関係の設備にも適用できる。
【図面の簡単な説明】
【００１７】
【図１】本考案によるＲＦコンタクト付きベローズのコンタクト構造を示す半断面図である。
【図２】図１のＲＦコンタクトの接触状態を示す説明図である。
【図３】図１のＲＦコンタクトを示す半断面斜視図である。
【図４】従来構造を示す構成図である。
【図５】従来構造を示す構成図である。
【符号の説明】
【００１８】
１    ベローズ
２    第１筒体
３    第２筒体
４    内筒
５    シールドフィンガー
１０    スプリングフィンガー
１０ａ    一端
１０ｂ    他端
２０    突条
３０    接点
【図１】
0003101173.tif 000003
【図２】
0003101173.tif 000004
【図３】
0003101173.tif 000005
【図４】
0003101173.tif 000006
【図５】
0003101173.tif 000007